(57)【特許請求の範囲】
【請求項１】
ブラシ（１０）であって、毛ホルダー（１００）と、ハンドル部（２００）と、前記ハンドル部（２００）に連結された、前記毛ホルダー（１００）のための連結面（２１０）とを有し、前記毛ホルダー（１００）は、フレーム（１２０）と、背面部（１３０）とを有し、前記背面部（１３０）は、連結式ブラシの前記ハンドル部（２００）に隣接する第１の端部領域（１３１）と、ブラシの端部に隣接する第２の端部領域（１３２）とを有し、前記第１の端部領域（１３１）が少なくとも１つの第１の連結要素（１４０）を支持し、前記第２の端部領域（１３２）が、少なくとも１つの位置決め要素（１４４）と、少なくとも１つの保持要素（１４８）とを支持し、
ａ．前記背面部（１３０）が前記ハンドル部（２００）に隣接する第１の領域（１３３）を有し、第２の領域（１３４）が前記第１の領域（１３３）に隣接し、第３の領域（１３５）が前記第２の領域（１３４）に隣接し、前記ブラシの端部（１２）に隣接する第４の領域（１３６）が前記第３の領域（１３５）に隣接し、前記背面部（１３０）の前記第１、第２、第３、及び第４の領域が、等しい長さの４つの長手方向部分に分割され、前記第１の領域（１３３）が少なくとも２つの第１の連結要素（１４０、１４２）を支持し、前記第３の領域（１３５）が２つの位置決め要素（１４４、１４６）を支持し、前記第４の領域（１３６）が少なくとも１つの保持要素（１４８）を支持し、
ｂ．前記背面部（１３０）が長手方向軸（Ｌ）に対して対称であり、前記保持要素（１４８）がこの長手方向軸を中心とし、前記第１の連結要素（１４０、１４２）及び前記位置決め要素（１４４、１４６）が、この長手方向軸に対して対称に配置され、
ｃ．前記第１の連結要素が、弓状又は円形状のフック（１５２）であり、
ｄ．前記連結面（２１０）は、少なくとも２つの第１の連結要素（１４０、１４２）を受容するように設計された、少なくとも１つの第２の連結要素（２４０）と、前記保持要素（１４８）のための１つの保持手段（２４８）とを有し、前記保持手段（２４８）は、押しボタン（２５２）の助けにより前記保持要素（１４８）を解放するブラシ（１０）。
【請求項２】
前記第２の連結要素（２４０）が、２つの第１の連結要素（１４０、１４２）を受容するための突出部を有するくぼみである、請求項１に記載のブラシ（１０）。
【請求項３】
前記第２の連結要素（２４０）が、前記第１の連結要素（１４０、１４２）の中心案内手段（２４２）を有する、請求項２に記載のブラシ（１０）。
【請求項４】
前記ブラシ（１０）の前記連結面（２１０）が取外し要素（２５０）を含む、請求項１〜３のいずれか一項に記載のブラシ（１０）。
【請求項５】
前記連結面（２１０）と前記毛ホルダー（１００）の前記背面部（１３０）との間に電気的接触を確立することができる、請求項１〜４のいずれか一項に記載のブラシ（１０）。
【請求項６】
前記連結面（２１０）が、前記毛ホルダー（１００）の前記フレーム（１２０）を包囲するフレーム（２２０）を有する、請求項１〜５のいずれか一項に記載のブラシ（１０）。
【請求項７】
前記保持要素（１４８）がフックとして設計され、前記保持手段（２４８）は、突出部又は追加のフックを有する、請求項１に記載のブラシ（１０）。
【請求項８】
前記連結面（２１０）は、前記位置決め要素（１４４、１４６）を受容する凹部を有する、請求項１に記載のブラシ（１０）。
【発明の詳細な説明】
【技術分野】
【０００１】
本発明は、毛ホルダー及びかかる毛ホルダーを有するブラシに関する。記載されるブラシは、特にヘアブラシとして好適である。
【背景技術】
【０００２】
従来のブラシは、通常、一片から形成され、シャフト部又は他の剛毛保持部につながるハンドル部を備え、剛毛保持部には剛毛が固定される。かかるブラシでは、総じて、毛ホルダーとハンドル部とを相互に連結する際の問題はほとんどない。
【０００３】
ブラシの耐用期間は、通常、その剛毛及び剛毛の状態によって決定される。したがって、剛毛が所望の状態を有さなくなったときは、ブラシ全体を交換する必要がある。
【０００４】
米国特許第２００５０５１１８７Ａ号は、交換式の剛毛セットを有するブラシを開示する。剛毛セットは、フレームによってブラシの定位置に保持される。これにより剛毛セットをしっかり配置できるが、部品交換の際には３つの部分を扱う必要がある。
【０００５】
英国特許第３３０，５７３号は、交換式の剛毛セットを有する精巧なブラシを開示する。剛毛セットは、端部の定位置に保持される。ブラッシング中、特に長い髪のブラッシングを行う際には、相当の力が作用するため、この取付装置には、剛毛セットをしっかり保持するのに十分な安定性がない可能性がある。
【０００６】
独国特許出願公開第２６  ５１  ７３０号は、交換式のブラシインサートを有する温風装置を開示する。このインサートは、弾性材製、例えばゴム製の縁なし帽のような形状である。この縁なし帽は、ゴムスタッドによって温風部に連結されることができる。多くの消費者の眼には、この解決法では、２つの部分がしっかりと連結され、１つのユニットを形成するようには見えない。交換式のゴム製部品（ほとんどの場合、低コストで製造された「使い捨て部品」）上に存在し得る製造欠陥又は隆起部は、見えたままである。
【０００７】
概して高価であるのは、例えば、温風の形態又はイオン源などの追加的効用を有する特にこれらのブラシである。したがって、剛毛部分は交換するが、ブラシの残りの部分は引き続き使用できることが望ましい。部品交換後であっても、剛毛はブラシ内にしっかり保持されたままである。したがって、製造上の公差が原因であり得る部品の差異は、大きな問題にはならないはずである。
【先行技術文献】
【特許文献】
【０００８】
【特許文献１】米国特許第２００５０５１１８７Ａ号
【特許文献２】英国特許第３３０，５７３号
【特許文献３】独国特許出願公開第２６  ５１  ７３０号
【発明の概要】
【発明が解決しようとする課題】
【０００９】
本発明は、先行技術に記載された不利益を回避することを目的とする。そのために、相互に安定した方法で連結することができ、それにもかかわらず容易に交換することができる、毛ホルダー及びブラシが提供される。両方の部分を連結すると、見て美しい全体像が形成される。
【課題を解決するための手段】
【００１０】
本発明は、ブラシ及び毛ホルダーに関する。本発明は、具体的にはブラシの毛ホルダーに関し、毛ホルダーは、フレームと、剛毛固定手段と、背面部とを有し、背面部は、連結式ブラシのハンドル部に隣接する第１の端部領域と、ブラシの端部に隣接する第２の端部領域とを有し、第１の端部領域は、少なくとも１つの第１の連結要素を支持し、第２の端部領域は、少なくとも１つの位置決め要素と、少なくとも１つの保持要素とを支持する。更に本発明は、記載された種類の毛ホルダーを備えるブラシ及びかかる毛ホルダー用のブラシに関する。
【図面の簡単な説明】
【００１１】
以下に更に詳細に記載される図は、本発明の理解を更に促進する。技術的に可能な限りにおいて、別の図で開示される機構を相互に組み合わせることもできる。
【図１】剛毛側からのブラシの概略平面図を示す。
【図２】毛ホルダーの背面部の概略図を示す。
【図３】毛ホルダーの背面部の概略側面図を示す。
【図４】剛毛支持部を備えないブラシの概略図を示す。
【発明を実施するための形態】
【００１２】
したがって、本発明による毛ホルダーは、具体的には、剛毛固定手段と、背面部と、フレームとを備える。背面部は、例えば、本質的に平坦な板であり得る。周辺フレームは、この背面部において剛毛の方向に突出することができる。剛毛固定手段は、このフレームに固定されることができる。好適な剛毛固定手段は、例えば、剛毛支持マットからなる。剛毛固定手段は、剛毛を支持する。個々の剛毛は、例えば、剛毛支持マットの貫通孔に埋め込まれることができ、剛毛は、好適な肥厚部によって、又は他の手段によって、支持マットの背面部に固定されることができる。
【００１３】
毛ホルダーの背面部は、２つの端部領域を有する。毛ホルダーがブラシに連結されている場合、第１の端部領域はブラシのハンドル部に隣接し、第２の端部領域はブラシの端部に隣接する。端部領域は、背面部のかなりの部分にわたることができ、個々の場合において、背面部の中央部までも延在することができる。しかし端部領域は、好ましくは背面部のより小さい領域、いずれの場合にも外側約１／３に限定される。本発明によると、第１の端部領域は、少なくとも１つの連結要素を支持するはずである。すべての好適な要素は、繰り返し取り外して、再取り付け可能である連結をもたらす連結要素、具体的には機械的要素と見なされてよい。好適な要素は、例えば、対応する雌型連結要素を備える雄型連結要素又は対応する雄型連結要素を備える雌型連結要素と嵌合できる機械的要素である。好適であるのは、例えば、アンダーカットと嵌合するフックである。
【００１４】
本発明によると、第２の端部領域は、少なくとも１つの位置決め要素と、少なくとも１つの保持要素とを有する。位置決め要素は、ブラシに対する毛ホルダーの位置を少なくとも一次元において制限する要素であると理解される。毛ホルダーの位置は、具体的には背面部の面に沿って水平に配置されるべきである。すべての好適な機械的要素は、具体的には、対応する雌型要素と嵌合する雄型要素又は対応する雄型要素と嵌合する雌型要素を提供する要素も、本明細書において同様に見なされてよい。好適な位置決め要素は、例えば、凹部に嵌合でき、これにより位置が決定される小突起部である。
【００１５】
第２の端部領域は、更に少なくとも１つの保持要素を支持する。これらの保持要素は、複数個の要素、具体的には機械的要素から選択されることもできる。保持要素は、例えば、好適な受容手段と連携して、毛ホルダーをブラシの所定の位置に保持するためのものである。好適な保持要素は、例えば、クリップ又はスナップ嵌めフックである。位置決め要素とは異なり、保持要素は、ブラシに対する毛ホルダーの位置をある程度決定するだけである。具体的には、背面部の面にある典型的な保持要素は、毛ホルダーにある程度の遊びを確保できる。しかし、保持要素は、毛ホルダー及びブラシの分離（separation and [sic; of]）を防止する。
【００１６】
請求項２に更に詳細に記載される本発明の実施形態の背面部は、４つの領域を有する。これらの４つの領域は、背面部を等しい長さの４つの長手方向部分に分割する。ここでは、第１の領域はハンドル部に隣接し、第２の領域は第１の領域に隣接し、第３の領域は第２の領域に隣接し、第４の領域は第３の領域に隣接し、かつブラシの端部に隣接する。これらの領域のうち、第１の領域は、少なくとも２つの連結要素を支持するはずである。第３の領域は少なくとも１つの位置決め要素を支持するはずであり、第４の領域は少なくとも１つの保持要素を支持するはずである。これらの領域には、他の要素は存在しなくてよい。特に第２の領域には、連結要素、保持要素、又は位置決め要素が全く存在しなくてよい。この構成は、毛ホルダーを特に取り替えやすくしつつ、同時に毛ホルダーとブラシとの強固な連結を確保することが示されている。
【００１７】
請求項３による適切な構成では、第１の領域は２つの連結要素を支持する。第３の領域は２つの位置決め要素を支持し（［supports］）、第４の領域は１つの保持要素を支持する。この構成もまた、毛ホルダーを安定した方法で案内し、容易に取り外すために特に好ましい。更にこの構成は、請求項１５に記載される毛ホルダーをブラシに挿入する方法にも特に好ましい。
【００１８】
同様の利点は、請求項４に記載される毛ホルダーの実施形態による好ましい方法で達成されることができる。毛ホルダーは、少なくともその背面部に対して長手方向軸を有し、毛ホルダー又は少なくとも背面部はこの軸に対して対称である。第１の連結要素又は２つ以上の第１の連結要素は、この長手方向軸に対して対称に配置されることができる。保持要素も同様である。１つの連結要素及び１つの保持要素だけが使用される場合、これらは、長手方向軸を中心とする。複数の要素、典型的には位置決め要素は、長手方向軸の左側と右側とに対称に配置される。
【００１９】
請求項５に記載の実施形態によると、第１の連結要素はフックとして設計される。特に好適なものは、剛性の非弾性フックである。
【００２０】
請求項６に記載されるように、弓状、又は更には円弓状のフックが特に好ましい。使用中、フックの形状は、ブラシに対する毛ホルダーの典型的な方向性を予測することができる。
【００２１】
ブラシ自体も、本発明の重要部分である。とりわけ独創的なのは、ここまで説明したような種類の毛ホルダーを有するブラシである。ブラシは、この毛ホルダー用に設計されるべきである。有利には、ブラシは、ハンドル部と、ハンドル部に連結している毛ホルダーの連結面とを有する。この場合、連結面が平坦である必要はないが、突出部又は凹部、並びに多数の連結要素、位置決め要素、及び保持要素又は受容手段を有することもできる。特にその端部では、連結面が隆起するか、又は突出（providing [sic; protruding]）フレームを有することができる。
【００２２】
請求項９の実施形態によると、連結面は、少なくとも１つの連結要素を受容するように設計された、少なくとも１つの第２の連結要素を有する。したがって、具体的には、２つの第１の連結要素を受容するのに好適なように１つの第２の連結要素を設計することも可能である。
【００２３】
この実施形態によると、連結面は、位置決め要素を受容するための少なくとも１つの凹部を更に有する。凹部の形状は、位置決め要素が受容されるか、又は本質的に形状に合った方法で少なくとも案内されるように設計される必要があるが、凹部の数は、通常、位置決め要素の数に対応する必要がある。連結面は、保持要素のための受容要素を更に有することができる。
【００２４】
請求項１０に記載の実施形態によると、第２の連結要素は、突出部を有するくぼみとして設計される。かかる突出部は、アンダーカットであってよく、２つの第１の連結要素は、例えば、これらがフックとして設計された場合、この突出部又はアンダーカットと嵌合できる。
【００２５】
好ましい一実施形態では、第２の連結要素は、第１の連結要素の中心案内手段を有する。例えば、突出スタッドが考慮されてよい。次に第１の連結要素は、スタッドの片側で案内されることができ、別の連結要素はスタッドのもう一方の側で案内されることができる。これにより、ブラシとの連結の際には、毛ホルダーがその最終位置にしっかりと案内される。
【００２６】
有用な連結要素、すなわち第１の連結要素及びそれに対応して適合する第２の連結要素は、ブラシからの垂直方向への両方の抜け落ち及び背面部の面における水平方向の移動から毛ホルダーを保護する。これに対して、保持要素は、背面部の面で毛ホルダーにある程度の遊びを持たせることが多い（ただし、これは独立して考慮された場合のみである）。広くは、この遊びは、位置決め要素並びに第１の連結要素及び第２の連結要素の両方の対応する凹部によって完全に抑えられる。
【００２７】
取外し要素も有用である。請求項１２に記載されるように、この取外し要素は、ブラシの連結面で覆われてよい。この取外し要素は、例えば、板バネを含むことができる。板バネの反対側には、小突起部を毛ホルダーの背面部に取り付けることができる。次いでこの小突起部は、板バネに押し付けることができる。ブラシは、取外しボタンを更に含むことができ、保持要素、又は保持要素のための受容要素に作用する。例えば、かかる起動ボタンはブラシの端部領域に設けることができ、このボタンは、保持要素のための受容要素を移動させ、したがって保持要素を解放する。取外し要素に対して弾性的にプリテンション状態にある小突起部により、毛ホルダーは次いで、連結面から離れる方向に移動する。位置決め要素は、連結面に対して垂直の毛ホルダーを容易に解放する。したがってこの構成体は、剛毛部分の使い勝手の良い取外しを促進する。
【００２８】
板バネ又は取外し要素の別の要素と対応する小突起部との間に電気的連結を確立することができる、本発明の一実施形態も考慮される。かかる連結は、例えば、小突起部と剛毛面又は剛毛面に隣接する毛ホルダー部との間に接触が確立された場合、剛毛面を接地させるために使用されることができる。かかる接地は、ブラシがイオン源を備える場合に興味深いものであり得る。
【００２９】
連結面が、毛ホルダーのフレームを包囲するフレームを有し、連結面が典型的にはこのフレームで包囲されるブラシもまた有利である。毛ホルダーは交換部品であるため、ブラシ自体のハンドル部ほどのコストをかけて製造されないことが多い。したがって、例えば、毛ホルダーの端部が、その背面部又は特にそのフレームにおいて不規則性を示すこともあり得る。プラスチック部分では、例えば隆起部である。かかる不規則性は、外側の外周フレームで剛毛部分の側面を包囲することによって、完全に被覆することができる。
【００３０】
ブラシでの毛ホルダーの使用方法も、本発明に従って開示される。かかる方法では、毛ホルダーの第１の端部領域は、当初は、ハンドル部に隣接する連結面の一領域において支持される。この第１の支持により、毛ホルダーは、特に容易にかつ正確に案内されることができる。次に、少なくとも１つの第１の連結要素と少なくとも１つの第２の連結要素との間に少なくとも部分的な連結が当初生ぜられる。例えば、第１の連結要素によって包囲されるフックと、第２の連結要素によってもたらされる中心案内手段との間などで、かかる少なくとも部分的な連結を確立することができる。更なる方法の工程では、少なくとも１つの位置決め要素が、次いで、少なくとも１つの凹部内のその受容手段に対して配置される。その後で、保持要素とその受容手段との間に追加の連結を確立することができる。この方法は、非常に単純でありつつも、毛ホルダーとブラシとの正確な連結を実現することが示されている。
【００３１】
図１は、剛毛側からのブラシ１０の概略図を示す。下部には、ハンドル部２００が示される。ハンドル部は、快適に保持できる任意の形状を有するように設計されることができる。ハンドル部２００の反対側は、ブラシ１０のブラシの端部１２である。ハンドル部とブラシの端部１０との間には毛ホルダー１００が存在し、この毛ホルダーは複数の剛毛１１２を支持する。
【００３２】
図２は、毛ホルダー１００の背面部１３０を示す。背面部は、剛毛側の反対側である。背面部は、ハンドル部２００（図示せず）に隣接する第１の端部領域１３１を有する。この第１の端部領域の反対側には、ブラシの端部１２（こちらも図示せず）に隣接する第２の端部領域１３２が配置される。背面部１３０は、外周フレーム１２０によって包囲される。背面部は、長手方向軸Ｌに対して対称である。より正確に言えば、背面部は４つの領域に分割することができ、これらすべての領域が、長手方向軸Ｌに沿って同一の長さを有する。更に、図示されないハンドル部２００に隣接して、背面部１３０は、第１の領域１３３を有する。第１の領域１３３は、第２の領域１３４及び第３の領域１３５に隣接する。第３の領域１３５には、ブラシの端部１２付近に配置される第４の領域１３６が隣接する。第１の領域１３３は、２つの第１の連結要素１４０及び１４２を有する。これらは、長手方向軸に対して対称に配置される。第２の領域には、連結要素、保持要素、又は位置決め要素は存在しない。第３の領域１３５は、２つの位置決め要素（位置決め要素１４４及び位置決め要素１４６）を有する。第４の領域１３６は、保持要素１４８を有する。保持要素は、長手方向軸を中心とする。追加要素として、第４の領域１３６は小突起部１５０を有し、これも長手方向軸を中心とする。背面部１３０は４つの領域には分割されないが、第１の端部領域１３１と第２の端部領域１３２とにだけ分割される。要素の位置については、次のように説明することができる。すなわち、第１の領域１３１は、２つの第１の連結要素１４０及び１４２を有する。第２の端部領域１３２は、位置決め要素１４４及び１４６を有し、保持要素１４８及び小突起部１５０も有する。
【００３３】
図３は、背面部１３０の概略側面図を示す。第１の領域１３３は、フック１５２を有する。これは、例えば、連結要素１４２など第１の連結要素の実施形態を示す。フックは、円弓状となるように設計される。このフックは、剛性の非弾性材で作製することができる。このフックを使用して、例えばアンダーカットと嵌合することが可能である。フックが円弓形状であるために、円弓状方向に容易に移動させ、アンダーカットと嵌合させることができる。第２の領域１３４には、ここでもまた、すべての要素が存在しない。隣接する第３の領域１３５は、切頭円錐形状の位置決め要素１４６を有する。当初は、これに第４の領域１３６内の小突起部１５０が続く。有利には、これは、例えば、切頭ピラミッド形状を有することができる。次に、保持要素の実施形態を示す別のフック１５４が続く。このフックは、弾性シャフトを有するスナップ嵌めフックとして設計されることができる。
【００３４】
図４は、毛ホルダーが取り外された場合のブラシ部の概略図を示す。これは、ハンドル部２００及びこれに隣接する連結面２１０を示す。概略的にだけ示されるフレーム２２０は、この連結面を包囲する。このフレームは、連結面を越えて突出してよい。連結面２１０は、第２の連結要素２４０を有する。これは、１つ又は２つの第１の連結要素を受容できてよい、くぼみとして設計される。くぼみは、第１の連結要素が嵌合できるアンダーカット２４１を有する。第２の連結要素２４０は、更に中心案内手段２４２を有する。２つの第１の連結要素が第２の連結要素２４０と連結される場合、これらは、中心案内手段２４２の左側と右側とに配置されることができる。この結果、連結が固定され、毛ホルダー１００をブラシ１０に挿入する際に案内手段が役立つようになる。連結面２１０は、対応する位置決め要素を受容するための凹部２４４及び凹部２４６を更に有する。これらの凹部は、例えば、切頭円錐として表面に突出してもよい。この凹部の上には、保持要素１４８のための保持手段２４８が設けられる。例えば、保持要素１４８がフックとして設計された場合には、保持手段２４８は、突出部又は追加のフックを有することができる。具体的には、対応する突出部又はフックが弾性的に装備され、押しボタン２５２の助けにより保持要素１４８を解放する方向に切り替えることが可能である。連結面２１０には、取外し要素２５０が更に設けられる。この取外し要素２５０は、例えば板バネなどの弾性要素を有することができる。小突起部１５０が取外し要素２５０の板バネに押し付けられると、毛ホルダー１００は、連結面２１０上で弾性的なプリテンション状態になる。保持手段２４８を解放する押しボタン２５２を押すと、ブラシ１０から毛ホルダーが弾性的に解放される。
【００３５】
本明細書は、毛ホルダーとブラシとの間の連結の容易な生成及び容易な解放を全般に実行することができる方法を示す。この連結は、製造上の公差の影響を受けにくいが、ブラッシング中の剛毛面及びブラシにかかる相当な力に耐える。
【表１】
0005829208.tif 000002
【図１】
0005829208.tif 000003
【図２】
0005829208.tif 000004
【図３】
0005829208.tif 000005
【図４】
0005829208.tif 000006